(57)【要約】【課題】いずれかの発電機が解列した場合でも、オイルタンカー全体での停電状態を回避してカーゴポンプの運転を継続し、安定した送油を実現する。【解決手段】カーゴポンプ制御装置１０において、解列検出部１１により、並列運転中の発電機１のいずれかが解列したことを検出し、回転数制御部により、解列の検出に応じて、インバータ３に対して新たな回転数への低減を指示する回転数制御信号３Ｓを出力する。【選択図】  図１
2009247104.tif 000002
【特許請求の範囲】
【請求項１】
オイルタンカーと陸上設備との間で荷油を送油するカーゴポンプと、このカーゴポンプを駆動する電動機の回転数を制御するインバータと、複数の発電機を並列運転して得られた電力を前記インバータへ供給する配電盤とを備えるオイルタンカーの送油システムで用いられ、前記インバータへ任意の回転数制御信号を出力することにより前記カーゴポンプの駆動制御を行うカーゴポンプ制御装置であって、
並列運転中の前記発電機のいずれかが解列したことを検出する解列検出部と、
前記解列の検出に応じて、前記インバータに対して新たな回転数への低減を指示する回転数制御信号を出力する回転数制御部と
を備えることを特徴とするカーゴポンプ制御装置。
【請求項２】
請求項１に記載のカーゴポンプ制御装置において、
前記電動機の総消費電力が残りの前記発電機から得られる総発電電力以下となる新たな回転数を導出する回転数導出部をさらに備えることを特徴とするカーゴポンプ制御装置。
【請求項３】
請求項２に記載のカーゴポンプ制御装置において、
前記回転数導出部は、前記解列の発生前後における前記電動機の総消費電力をＰｍおよびＰｍ'とし、前記解列の発生前における前記電動機の回転数をＮとし、任意の数値ｘの立方根を3√(ｘ)と表す場合、前記解列の発生後における前記電動機の新たな回転数Ｎ'を、Ｎ'＝Ｎ×3√(Ｐｍ'／Ｐｍ)により算出することを特徴とするカーゴポンプ制御装置。
【請求項４】
オイルタンカーと陸上設備との間で荷油を送油するカーゴポンプと、このカーゴポンプを駆動する電動機の回転数を制御するインバータと、複数の発電機を並列運転して得られた電力を前記インバータへ供給する配電盤とを備えるオイルタンカーの送油システムで用いられ、前記インバータへ任意の回転数制御信号を出力することにより前記カーゴポンプの駆動制御を行うカーゴポンプ制御方法であって、
並列運転中の前記発電機のいずれかが解列したことを検出する解列検出ステップと、
前記解列の検出に応じて、前記インバータに対して新たな回転数への低減を指示する回転数制御信号を出力する回転数制御ステップと
を備えることを特徴とするカーゴポンプ制御方法。
【請求項５】
オイルタンカーと陸上設備との間で荷油を送油するカーゴポンプと、このカーゴポンプを駆動する電動機の回転数を制御するインバータと、複数の発電機を並列運転して得られた電力を前記インバータへ供給する配電盤とを備えるオイルタンカーの送油システムで用いられ、前記インバータへ任意の回転数制御信号を出力することにより前記カーゴポンプの駆動制御を行うカーゴポンプ制御装置のコンピュータに、
並列運転中の前記発電機のいずれかが解列したことを検出する解列検出ステップと、
前記解列の検出に応じて、前記インバータに対して新たな回転数への低減を指示する回転数制御信号を出力する回転数制御ステップと
を実行させるプログラム。
【発明の詳細な説明】
【技術分野】
【０００１】
本発明は、オイルタンカーに設けられる送油システムに関し、特に送油システムによりオイルタンカーと陸上設備との間で荷油を送油するカーゴポンプの制御技術に関する。
【背景技術】
【０００２】
荷油タンクに荷油を積載して輸送するオイルタンカーは、陸上設備との間で荷油を送油するため、送油システムとして送油用のカーゴポンプを船内に搭載している。この際、オイルタンカーに積載する荷油の積載量が大きい場合、送油に要する時間を短縮するため、例えば各荷油タンクにカーゴポンプをそれぞれ設けて並列運転する必要がある（例えば、非特許文献１や特許文献１など参照）。
【０００３】
このような複数のカーゴポンプを駆動する送油システムでは、オイルタンカーに複数の発電機を設け、これら発電機を並列運転して得られた電力を配電盤から各カーゴポンプに設けた電動機（モータ）へ配電し、これら電動機によりカーゴポンプを並列運転するシステム構成がある。この場合、配電盤と各電動機との間にインバータをそれぞれ設け、インバータにより電動機の回転数を制御することにより、エネルギー損失を抑制することができ、特に粘度・比重の異なる荷油を送油する場合でも回転数を制御することにより対応でき、効率よく送油することが可能となる。
【０００４】
【特許文献１】特開平８−１１９１８９号公報
【非特許文献１】「商船設計の基礎知識」、造船テキスト研究会著、成山堂、pp269-270
【発明の開示】
【発明が解決しようとする課題】
【０００５】
しかしながら、このような従来技術では、何らかの原因で並列運転中の発電機のいずれかが解列した場合、残りの発電機で発電される電力に対してカーゴポンプでの消費電力が大きくなって、残りの発電機が過負荷となり、オイルタンカー全体が停電状態（ブラックアウト）となる可能性があった。
【０００６】
この際、停電状態を回避するため、発電機の解列に応じてカーゴポンプを停止（トリップ）させることも考えられる。しかし、カーゴポンプを停止させた場合、その急激な送油停止により、送油中の荷油によるリキッドハンマーが発生して送油配管や弁を破損させる可能性がある。したがって、運用上、カーゴポンプを停止させること自体回避する必要がある。
【０００７】
本発明はこのような課題を解決するためのものであり、いずれかの発電機が解列した場合でも、オイルタンカー全体での停電状態を回避してカーゴポンプの運転を継続し、安定した送油を実現できるカーゴポンプ制御装置、方法、およびプログラムを提供することを目的としている。
【課題を解決するための手段】
【０００８】
このような目的を達成するために、本発明にかかるカーゴポンプ制御装置は、オイルタンカーと陸上設備との間で荷油を送油するカーゴポンプと、このカーゴポンプを駆動する電動機の回転数を制御するインバータと、複数の発電機を並列運転して得られた電力をインバータへ供給する配電盤とを備えるオイルタンカーの送油システムで用いられ、インバータへ任意の回転数制御信号を出力することによりカーゴポンプの駆動制御を行うカーゴポンプ制御装置であって、並列運転中の発電機のいずれかが解列したことを検出する解列検出部と、解列の検出に応じて、インバータに対して新たな回転数への低減を指示する回転数制御信号を出力する回転数制御部とを備えている。
【０００９】
この際、電動機の総消費電力が残りの発電機から得られる総発電電力以下となる新たな回転数を導出する回転数導出部をさらに設けてもよい。
具体的には、回転数導出部で、解列の発生前後における電動機の総消費電力をＰｍおよびＰｍ'とし、解列の発生前における電動機の回転数をＮとし、任意の数値ｘの立方根を3√(ｘ)と表す場合、解列の発生後における電動機の新たな回転数Ｎ'を、Ｎ'＝Ｎ×3√(Ｐｍ'／Ｐｍ)により算出するようにしてもよい。
【００１０】
また、本発明にかかるカーゴポンプ制御方法は、オイルタンカーと陸上設備との間で荷油を送油するカーゴポンプと、このカーゴポンプを駆動する電動機の回転数を制御するインバータと、複数の発電機を並列運転して得られた電力をインバータへ供給する配電盤とを備えるオイルタンカーの送油システムで用いられ、インバータへ任意の回転数制御信号を出力することによりカーゴポンプの駆動制御を行うカーゴポンプ制御方法であって、並列運転中の発電機のいずれかが解列したことを検出する解列検出ステップと、解列の検出に応じて、インバータに対して新たな回転数への低減を指示する回転数制御信号を出力する回転数制御ステップとを備えている。
【００１１】
また、本発明にかかるプログラムは、オイルタンカーと陸上設備との間で荷油を送油するカーゴポンプと、このカーゴポンプを駆動する電動機の回転数を制御するインバータと、複数の発電機を並列運転して得られた電力をインバータへ供給する配電盤とを備えるオイルタンカーの送油システムで用いられ、インバータへ任意の回転数制御信号を出力することによりカーゴポンプの駆動制御を行うカーゴポンプ制御装置のコンピュータに、並列運転中の発電機のいずれかが解列したことを検出する解列検出ステップと、解列の検出に応じて、インバータに対して新たな回転数への低減を指示する回転数制御信号を出力する回転数制御ステップとを実行させる。
【発明の効果】
【００１２】
本発明によれば、発電機の解列に応じて電動機の回転数が低減されて、発電機の総発電電力の低減に合わせて総消費電力が低減されるため、残りの発電機が過負荷状態とならないよう制御できる。これにより、オイルタンカー全体での停電状態を回避してカーゴポンプの運転を継続することが可能となり、安定した送油を実現できる。
【発明を実施するための最良の形態】
【００１３】
次に、本発明の実施の形態について図面を参照して説明する。
［第１の実施の形態］
まず、図１を参照して、本発明の第１の実施の形態にかかるカーゴポンプ制御装置について説明する。図１は、本発明の第１の実施の形態にかかるカーゴポンプ制御装置が適用される送油システムの構成を示すブロック図である。
【００１４】
この送油システムは、オイルタンカーの荷油タンクと陸上設備との間で荷油を送油するためオイルタンカーに設けられる設備であり、複数の発電機１（１Ａ，１Ｂ）、配電盤２、インバータ３（３Ａ，３Ｂ）、電動機４（モータ／４Ａ，４Ｂ）、カーゴポンプ５（５Ａ，５Ｂ）、荷油タンク６、配管７，７Ａ，７Ｂ、およびカーゴポンプ制御装置１０から構成されている。
【００１５】
本実施の形態は、並列運転中の発電機１のいずれかが解列したことが検出された場合、カーゴポンプ制御装置１０により、この解列検出に応じて、残りの発電機１から得られる電力以下の消費電力となる新たな回転数を導出し、インバータ３に対して回転数制御信号３Ｓを出力することにより新たな回転数への低減を指示するようにしたものである。
【００１６】
以下、図１を参照して、本実施の形態にかかる送油システムおよびカーゴポンプ制御装置について詳細に説明する。
発電機１は、例えばディーゼルエンジンなどの内燃機関を用いて発電する設備であり、図１の例では、２つの発電機１Ａ，１Ｂが並列的に設けられている。配電盤２は、並列運転される各発電機１で発電された電力を各インバータ３へ配電する設備である。
【００１７】
インバータ３は、配電盤２から配電された電力を所定の回転数に応じた周波数に変換して出力することにより、各カーゴポンプ５に設けられた電動機４の回転数を制御する装置である。電動機４は、インバータ３から供給される電力の周波数に応じた回転数でカーゴポンプ５を駆動するモータである。図１の例では、２つの電動機４Ａ，４Ｂが並列的に設けられている。カーゴポンプ５は、電動機４の駆動に応じて荷油タンク６と陸上設備との間で荷油を送油するポンプである。
【００１８】
図１には、２つのポンプ系を並列的に設けた例が示されており、一方はインバータ３Ａ−電動機４Ａ−カーゴポンプ５Ａからなり、他方はインバータ３Ｂ−電動機４Ｂ−カーゴポンプ５Ｂからなる。
カーゴポンプ５と荷油タンク６とは配管７を介して接続されている。カーゴポンプ５Ａは配管７Ａを介して陸側設備と接続され、カーゴポンプ５Ｂは配管７Ｂを介して陸側設備と接続される。
【００１９】
カーゴポンプ制御装置１０は、ＣＰＵおよびその周辺回路を用いて各種演算処理を行う演算処理部１０Ａと、メモリやハードディスクからなり演算処理部１０Ａでの処理に用いる各種処理情報１４やプログラム１５を記憶する記憶部１０Ｂとを有する電子機器である。
【００２０】
カーゴポンプ制御装置１０の演算処理部１０Ａは、記憶部１０Ｂから読み込んだプログラム１５をＣＰＵで実行することにより、上記ハードウェアとプログラムとを協働させることにより各種機能部を実現する。
演算処理部１０Ａが実現する主な機能部としては、解列検出部１１、回転数導出部１２、および回転数制御部１３がある。
【００２１】
解列検出部１１は、配電盤２からの解列検知信号２Ｓに応じて、並列運転中の発電機１のいずれかが解列したことを検出する機能を有している。配電盤２には、一般に、発電機１ごとにその出力を監視する電流計やブレーカーなどからなる回路保護部が設けられており、発電機１からの出力に異常があった場合、当該発電機１の回路保護部が動作して当該発電機１が配電盤２から切り離される。解列検知信号２Ｓは、各発電機１の回路保護部の動作に応じてそれぞれ個別に出力される。
【００２２】
回転数導出部１２は、解列検出部１１での解列の検出に応じて、負荷電力すなわち各電動機４での総消費電力が、運転継続可能な残りの発電機１から得られる総発電電力以下となるような、各電動機４の新たな回転数を導出する機能を有している。具体的には、運転継続可能な発電機１の台数とこれに応じた回転数との対応関係をテーブル（表型式）として記憶部１０Ｂに処理情報１４として予め格納しておき、解列発生後の残存発電機台数に応じた回転数を上記テーブルから取得してもよい。あるいは、運転継続可能な発電機１の台数とこれに応じた回転数との対応関係を示す数式を用いて解列発生後の残存発電機台数に応じた回転数を算出してもよい。
【００２３】
回転数制御部１３は、各インバータ３に対して回転数制御信号３Ｓを出力することにより新たな回転数への低減を指示する機能を有している。インバータ３は、配電盤２から配電された電力を、回転数制御部１３からの回転数制御信号３Ｓで指示された回転数に応じた周波数に変換して出力することにより、各カーゴポンプ５に設けられた電動機４の回転数を制御する。これにより、電動機４は、インバータ３から供給される電力の周波数に応じた回転数でカーゴポンプ５を駆動する。
【００２４】
一般に、ポンプ負荷は２乗低減トルク特性で表すことができ、ポンプ揚水量Ｑ、揚程Ｈ、消費電力（軸動力）Ｐ、回転数Ｎの間には、次の関係が成り立つ。 
ポンプ揚水量Ｑ∝回転数Ｎ 
揚程Ｈ∝回転数Ｎ2 
消費電力Ｐ∝ポンプ揚水量Ｑ×揚程Ｈ∝回転数Ｎ3 
したがって、電動機の消費電力は、当該電動機の回転数の３乗にほぼ比例するため、例えば電動機の回転数を1800rmpから1400rpmに低減した場合、当該電動機での消費電力は(1400/1800)3＝47%まで低減できる。
【００２５】
［第１の実施の形態の動作］
次に、図２および図３を参照して、本発明の第１の実施の形態にかかるカーゴポンプ制御装置の動作について説明する。図２は、本発明の第１の実施の形態にかかるカーゴポンプ制御装置のカーゴポンプ制御処理を示すフローチャートである。図３は、本発明の第１の実施の形態にかかるカーゴポンプ制御装置の動作を示す信号波形図である。以下では、図１に示したように、送油システムにおいて、２台の発電機１Ａ，１Ｂを並列運転して、２系統のカーゴポンプ５Ａ，５Ｂを駆動する場合を例として説明する。
【００２６】
図２のカーゴポンプ制御処理において、カーゴポンプ制御装置１０の演算処理部１０Ａは、解列検出部１１により、配電盤２からの解列検知信号２Ｓに基づき、常時、発電機１Ａ，１Ｂの解列発生を監視している（ステップ１００）。
図３では、時刻Ｔ以前の区間において、全発電機１Ａ，１Ｂは例えばマニュアル指令により正常に並列運転されているものとする。
【００２７】
ここで、全発電機１Ａ，１Ｂが正常に並列運転されている場合の総発電電力（図３：破線）をＰｇとし、基準回転数Ｎ0における各電動機４Ａ，４Ｂでの総消費電力（図３：実線）をＰｍとする。通常、ＰｇはＰｍやその他の負荷変動を見積もって、Ｐｍに対して所定の効率Ｒの電力（Ｐｇ＝Ｐｍ×Ｒ：Ｒ＞１）や、所定の絶対量ΔＰだけ余裕を持った電力（Ｐｇ＝Ｐｍ＋ΔＰ）が供給できるよう設計されている。したがって、１台の発電機が解列した場合の総発電電力Ｐｇ'＝Ｐｇ／２とした場合、解列後の総消費電力Ｐｍ'はＰｍ'＝Ｐｍ×ＲやＰｍ'＝Ｐｇ'−ΔＰで算出でき、任意の数値ｘの立方根を3√(ｘ)と表す場合、解列後の回転数Ｎは、Ｎ＝Ｎ0×3√（Ｐｍ'／Ｐｍ）で算出できる。
【００２８】
その後、時刻Ｔにおいて、発電機１Ａが解列し、解列検出部１１により、配電盤２からの解列検知信号２Ｓに基づきこの解列の発生が検出された場合（ステップ１００：ＹＥＳ）、回転数導出部１２により、運転継続可能な残りの電機台数ここでは１台に応じた新たな回転数Ｎが導出され（ステップ１０３）、この新たな回転数Ｎに応じた回転数制御信号３Ｓが回転数制御部１３から各インバータ３Ａ，３Ｂへ出力される（ステップ１０４）。
【００２９】
これにより、各電動機４Ａ，４Ｂでの総消費電力は、Ｐｍ'＝Ｐｍ×（Ｎ／Ｎ0）3まで低減することになる。したがって、残りの発電機１Ｂによる発電電力Ｐｇ'（＝Ｐｇ／２）まで総発電電力が低下した場合でも、各電動機４Ａ，４Ｂでの総消費電力Ｐｍ'がＰｇ'以下に低減され、残りの発電機１Ｂが過負荷状態とならないよう制御される。
【００３０】
従来のように、電動機の回転数が固定化されている場合は図３の破線に示すように電動機の総消費電力が低減されないため、何らかの原因で並列運転中の発電機のいずれかが解列した場合、残りの発電機で発電される総発電電力に対して電動機での総消費電力が大きくなって、残りの発電機が過負荷状態となる。したがってこのような場合には、オイルタンカー全体が停電状態（ブラックアウト）となることを回避するため、カーゴポンプを停止せざるを得ない。
【００３１】
本実施の形態は、発電機の解列に応じて電動機の回転数を低減することにより、発電機の総発電電力の低減に合わせて総消費電力を低減するようにしたので、残りの発電機が過負荷状態とならないよう制御できる。これにより、オイルタンカー全体での停電状態を回避してカーゴポンプの運転を継続することが可能となり、安定した送油を実現できる。
【００３２】
また、電動機の総消費電力が残りの発電機から得られる総発電電力以下となる新たな回転数を導出するようにしたので、当該送油システムの構成に応じた最適なカーゴポンプの駆動制御を行うことができる。
より具体的には、解列発生前後における電動機の総消費電力をＰｍおよびＰｍ'とし、解列発生前における電動機の回転数をＮとし、解列発生後における電動機の新たな回転数Ｎ'を、Ｎ'＝Ｎ×3√(Ｐｍ'／Ｐｍ)により算出するようにしたので、極めて簡素な演算処理で新たな回転数を正確に算出することができる。
【００３３】
［第２の実施の形態］
次に、図４を参照して、本発明の第２の実施の形態にかかるカーゴポンプ制御装置について説明する。図４は、本発明の第２の実施の形態にかかるカーゴポンプ制御装置の動作を示す信号波形図である。
【００３４】
図１に示したように、送油システムにおいて、２台の発電機１Ａ，１Ｂを並列運転して、２系統のカーゴポンプ５Ａ，５Ｂを駆動する際、第１の実施の形態では、解列の発生に応じて電動機４Ａ，４Ｂの回転数をＮ0からＮへ一度に低減する場合について説明したが、図４に示すように、電動機の回転数がＮ0からＮへ徐々に変化するように低減させてもよい。なお、カーゴポンプ制御装置１０や送油システムの構成については、第１の実施の形態と同様であり、個々での詳細な説明は省略する。
【００３５】
［実施の形態の拡張］
以上の各実施の形態では、発電機１の数が２台の場合を例として説明したが、３台以上の発電機を並列運転する送油システムであっても、前述と同様にして各実施の形態を適用でき、同様の作用効果が得られる。なお、発電機が２台以上同時に解列することは極めて希であるため、解列後の新たな回転数を予め算出しておき、解列の発生に応じて新たな回転数に応じた回転数制御信号３Ｓを出力するようにしてもよい。これにより、回転数導出部１２を省略できる。
【００３６】
また、各実施の形態では、カーゴポンプ５が２系統設けられている場合を例として説明したが、１系統であっても３系統以上あっても、前述と同様にして各実施の形態を適用でき、同様の作用効果が得られる。
また、発電機１の解列発生に応じて電動機４の回転数を低減する際、ランプ関数や指数関数などに基づき、その回転数を徐々に低減してもよい。これにより、送油速度を徐々に変化させることができ、送油経路を構成する設備に対する負担を軽減できる。
【００３７】
また、各実施の形態では、カーゴポンプ制御装置１０が配電盤２とは別個の装置である場合を例として説明したが、これに限定されるものではなく、カーゴポンプ制御装置１０を配電盤２と一括して構成してもよい。配電盤２によっては、発電機１からの発電電力を効率よく利用する省エネルギーを実現するため、カーゴポンプ制御装置１０と同様の電子機器を用いて電力制御を行うパワーマネージメント機能を備えるものもあり、このような配電盤２を用いる場合には、そのパワーマネージメント機能により、本発明の各実施の形態にかかる機能部を実現できる。
【図面の簡単な説明】
【００３８】
【図１】本発明の第１の実施の形態にかかるカーゴポンプ制御装置が適用される送油システムの構成を示すブロック図である。
【図２】本発明の第１の実施の形態にかかるカーゴポンプ制御装置のカーゴポンプ制御処理を示すフローチャートである。
【図３】本発明の第１の実施の形態にかかるカーゴポンプ制御装置の動作を示す信号波形図である。
【図４】本発明の第２の実施の形態にかかるカーゴポンプ制御装置の動作を示す信号波形図である。
【符号の説明】
【００３９】
１，１Ａ，１Ｂ…発電機、２…配電盤、２Ｓ…解列検知信号、３，３Ａ，３Ｂ…インバータ、３Ｓ…回転数制御信号、４，４Ａ，４Ｂ…電動機、５，５Ａ，５Ｂ…カーゴポンプ、６…荷油タンク、７，７Ａ，７Ｂ…配管、１０…カーゴポンプ制御装置、１０Ａ…演算処理部、１０Ｂ…記憶部、１１…解列検出部、１２…回転数導出部、１３…回転数制御部、１４…処理情報、１５…プログラム。
【図１】
2009247104.tif 000003
【図２】
2009247104.tif 000004
【図３】
2009247104.tif 000005
【図４】
2009247104.tif 000006